(57)【要約】【課題】空気調和装置の異常を検知することを目的とする。【解決手段】複数の交流ファンモータと、該交流ファンモータに流れる電流を計測する電流計測部１１４と、電流計測部１１４によって計測された電流値に基づいて設定される基準値を設定し、該電流計測値と基準値を比較することにより交流ファンモータの異常を検知する異常検知装置１１６を備えることを特徴とする空気調和装置を提供する。【選択図】図３
2009293908.tif 000002
【特許請求の範囲】
【請求項１】
複数の交流ファンモータと、
該交流ファンモータに流れる電流を計測する電流計測手段と、
該電流計測手段によって計測された電流値に基づいて、該交流ファンモータの異常を検知するための基準値を設定する基準値設定手段と、
該電流計測手段によって所定の時間間隔で計測された電流値と該基準値設定手段によって設定された基準値とを比較して、前記交流ファンモータの異常を検知する異常検知手段と
を備えることを特徴とする空気調和装置。
【請求項２】
前記電流計測手段が、全ての前記交流ファンモータに入力される電流が流れる配線上、または、全ての前記交流ファンモータから出力される電流が流れる配線上に設けられていることを特徴とする請求項１に記載の空気調和装置。
【請求項３】
前記基準値設定手段は、運転モードが変更されたときに、前記基準値の設定を再度行うことを特徴とする請求項１または請求項２に記載の空気調和装置。
【請求項４】
複数の交流ファンモータに流れる電流の値に基づいて、該交流ファンモータの異常を検知するための基準値を設定する基準値設定手段と、
複数の交流ファンモータに流れる電流の値と、該基準値設定手段によって設定された基準値とを所定の時間間隔で比較し、前記交流ファンモータの異常を検知する異常検知手段と
を備えることを特徴とする空気調和装置の異常検知装置。
【請求項５】
複数の交流ファンモータに流れる電流を計測し、
計測した電流値に基づいて、該交流ファンモータの異常を検知するための基準値を設定し、
複数の前記交流ファンモータに流れる電流の値を所定の時間間隔で計測し、該計測値と前記基準値とを比較することによって、前記交流ファンモータの異常を検知することを特徴とする空気調和装置の異常検知方法。
【発明の詳細な説明】
【技術分野】
【０００１】
本発明は、交流ファンモータを有する空気調和装置に関するものである。
【背景技術】
【０００２】
従来、直流モータを有する空気調和装置では、動作異常を検知し、点検が必要であることを表示する方法が提案されている。
【特許文献１】特開２００３−０９７８２８号公報
【発明の開示】
【発明が解決しようとする課題】
【０００３】
しかしながら、交流ファンモータを有する空気調和装置では、採用可能な程度に安価で簡便な構成とされた異常を検知する手段がなく、そのため点検が必要であることを指摘する表示を行うことができなかった。また、交流ファンモータを２個以上有する空気調和装置の場合、そのうちいずれか１個の交流ファンモータに異常が発生していてもシステムは稼動しているため、空気調和装置の利用者が異常に気付くことができないという問題があった。
【０００４】
本発明は、上記問題を鑑みてなされたもので、交流ファンモータを搭載している場合でも、異常を検知することのできる空気調和装置及び空気調和装置の異常検知方法を提供することを目的とする。
【課題を解決するための手段】
【０００５】
上記課題を解決するために、本発明は以下の手段を採用する。
本発明は、複数の交流ファンモータと、該交流ファンモータに流れる電流を計測する電流計測手段と、該電流計測手段によって計測された電流値に基づいて、該交流ファンモータの異常を検知するための基準値を設定する基準値設定手段と、該電流計測手段によって計測された電流値と、該基準値設定手段によって設定された基準値とを比較し、前記交流ファンモータの異常を検知する異常検知手段とを備えることを特徴とする空気調和装置を提供する。
【０００６】
例えば、上記交流ファンモータに流れる電流は、交流ファンモータの回転数に応じて変わる。例えば、図５に示すように、交流ファンモータの回転数が多くなると、交流ファンモータに流れる電流は少なくなる。交流ファンモータの回転数は、空気調和装置が設置される現場の環境、例えば、ダクトの物理的な長さ、風圧・静圧の大きさ、エアーフィルタの種類等によって変化する。また、種々の運転モードを有している場合には、運転モード等の運転状態に応じても交流ファンモータの回転数は変化する。このように、交流ファンモータに流れる電流は、設置現場の環境や運転状況に応じて異なるため、交流ファンモータに流れる電流値に基づいて交流ファンモータの異常を検知する場合には、上記状況を考慮して適切な電流閾値を設定することが必要となる。
このような知見から、本発明では、基準値設定手段が、交流モータに流れる電流に基づき交流ファンモータの異常を検知するための基準値を設定し、この基準値と交流ファンモータに流れる電流値とを逐次比較することで交流ファンモータの異常を検知することとしている。これにより、空気調和装置の設置後において、その設置環境や運転状態を考慮した適切な基準値（電流閾値）を設定することが可能となる。従って、複数の交流ファンモータを備えている場合であっても、該基準値と電流計測手段によって所定の時間間隔で計測される電流値とを逐次比較することにより、交流ファンモータの異常を確実に検知することができる。
上記基準値設定手段は、例えば、運転開始後に前記基準値の設定を行う。具体的には、電流計測手段によって計測された運転開始後の電流値を用いて基準値を設定する。基準値の設定は、例えば、運転開始後の電流値に所定の係数（例えば、０．７等）を乗じることで行われる。
また、基準値の設定は、空気調和装置の現場設置後、少なくとも一回行われればよく、上述のように、必ずしも毎回の運転開始後に行う必要はない。現場設置後に基準値を設定し、この基準値を記憶しておき、その後の運転においては、記憶しておいた基準値を用いて異常を検知することとしてもよい。また、後述のように、交流ファンモータに流れる電流は、運転モードによっても変化するため、各運転モードに応じた基準値を設定しておくことが好ましい。
【０００７】
上記空気調和装置において、前記電流計測手段は、全ての前記交流ファンモータに入力される電流が流れる配線上、または全ての前記交流ファンモータから出力される電流が流れる配線上に設けられていてもよい。
このような構成によれば、各交流ファンモータにつながる配線のそれぞれに電流計測手段を設ける必要がなく、１つの電流計測手段によって、全ての交流ファンモータに流れる電流を計測することが可能となる。
【０００８】
上記空気調和装置において、前記基準値設定手段は、運転モードが変更されたときに、基準値の設定を再度行うこととしてもよい。
空気調和装置の運転モードに応じて基準値を変更するので、運転モードに応じた適切な基準値を設定することができ、交流ファンモータの異常検知の精度をより向上させることが可能となる。
【０００９】
本発明は、複数の交流ファンモータに流れる電流の値に基づいて、該交流ファンモータの異常を検知するための基準値を設定する基準値設定手段と、複数の交流ファンモータに流れる電流の値と、該基準値設定手段によって設定された基準値とを所定の時間間隔で比較し、前記交流ファンモータの異常を検知する異常検知手段とを備えることを特徴とする空気調和装置の異常検知装置を提供する。
【００１０】
本発明は、複数の交流ファンモータに流れる電流を計測し、計測した電流値に基づいて、該交流ファンモータの異常を検知するための基準値を設定し、複数の前記交流ファンモータに流れる電流の値を所定の時間間隔で計測し、該計測値と前記基準値とを比較することによって、前記交流ファンモータの異常を検知することを特徴とする空気調和装置の異常検知方法を提供する。
【発明の効果】
【００１１】
本発明によれば、交流ファンモータを搭載している場合でも、異常を検知することができるという効果を奏する。
【発明を実施するための最良の形態】
【００１２】
以下、本発明に係る空気調和装置及び空気調和装置の異常検知方法の一実施形態について、図面を参照して説明する。
【００１３】
図１は、本発明の一実施形態に係る空気調和装置が天井裏に取り付けられている場合の平面図、図２は図１の断面図である。図１及び図２に示すように、本実施形態に係る空気調和装置は、複数の交流ファンモータ１１０，１１１及び熱交換機１０４を主な構成要素として備えている。
【００１４】
このような空気調和装置においては、交流ファンモータ１１０，１１１の作動により、外部の空気が吸入され、吸入された空気がエアーフィルタ１０１、ダクト１０２を介して熱交換器１０４へ送られる。熱交換器１０４は、吸入された空気に対して熱交換を行う。熱交換器１０４によって暖められた、または冷却された空気は、ダクト１０５を通して排出口１０６から排出される。
【００１５】
図３は、本実施形態に係る空気調和装置の交流ファンモータ周りの電気系統を示した図である。
【００１６】
図３に示すように、交流ファンモータ１１０、１１１及び交流電源が並列に接続されている。各交流ファンモータ１１０，１１１は、高回転用端子Ｈと低回転用端子Ｌとを備えており、互いの高回転用端子Ｈは結線されているとともに、第１スイッチ１１２を介して交流電源に接続され、同様に、互いの低回転用端子Ｌは結線されているとともに、第２スイッチ１１３を介して交流電源に接続されている。
上記第１スイッチ１１２及び第２スイッチ１１３のオンオフは、制御装置１１５によって制御される。制御装置１１５は、リモコン１１７からの情報に基づいて、第１スイッチ１１２及び第２スイッチ１１３を択一的に選択し、いずれか一方をオン、他方をオフとする。
【００１７】
また、上記交流ファンモータ１１０，１１１の並列接続点と交流電源とを結ぶ配線には、電流計測部１１４が設けられている。
電流計測部１１４は、交流ファンモータ１１０、１１１に流れる電流を計測し、この計測値を異常検知装置１１６に出力する。異常検知装置１１６は、電流計測部１１４から入力される計測値に基づいて交流ファンモータ１１０、１１１の異常を検知する。具体的には、異常検知装置１１６は、運転開始後または運転モードの変更時等において、電流計測部１１４によって計測された電流計測値に既定の係数を乗ずることにより基準値を設定し（基準値設定手段）、この基準値と電流計測部１１４によって所定の時間間隔で計測される電流値とを比較することで交流ファンモータの異常を検知する（異常検知手段）。
例えば、いずれかの交流ファンモータに異常が発生した場合、異常が発生した交流ファンモータには電流が流れなくなることから、電流計測部１１４によって計測される電流計測値は今まで流れていた電流よりもかなり小さな値となる。従って、電流計測値と基準値とを比較することにより、交流ファンモータ１１０，１１１の異常を確実に検知することが可能となる。
【００１８】
次に、上述した構成を備える本実施形態に係る空気調和装置の作動について図３及び図４を参照して説明する。
まず、ユーザによってリモコン１１７が操作されることにより、運転モードが指定され、運転開始の情報が入力されると、この入力情報がリモコン１１７から制御装置１１５に送信される。制御装置１１５は、リモコン１１７から受信した運転モードに基づいて第１スイッチ１１２及び第２スイッチ１１３のいずれかを選択してオン状態とし（図４のステップＳＡ１）、また、運転モードに応じた制御信号を交流ファンモータ１１０，１１１に出力する。以下、第１スイッチ１１２がオン状態とされ、高回転モードで各交流ファンモータが運転を開始する場合を想定して説明する。
【００１９】
第１スイッチ１１２がオン状態とされることにより、閉回路が形成され、交流ファンモータが運転モードに応じた回転数で運転を開始することにより、回転数に応じた電流が閉回路に流れる。この電流は、電流計測部１１４によって検出され、異常検知装置１１６に出力される（図４のステップＳＡ２）。
異常検知装置１１６は、電流計測部１１４から入力された電流計測値に既定の係数を乗じることにより、基準値を算出し設定する。（図４のステップＳＡ３）。基準値を設定した後は、この基準値と電流計測部１１４から所定の時間間隔で入力される電流計測値とを逐次比較し、電流計測値が基準値未満であるか否かを判定する（図４のステップＳＡ４）。この結果、電流計測値が該基準値を下回った場合には、運転モードの切り替えがされたか否かを判定する（図４のステップＳＡ５）。この結果、運転モードの切り替えがされていない場合には、交流ファンモータに異常があることを表示し（図４のステップＳＡ６）、本処理を終了する。
【００２０】
一方、ステップＳＡ４において、電流計測値が該基準値を下回っていない場合には、図４のステップＳＡ４に戻り、該基準値と電流計測部１１４から所定の時間間隔で入力される電流計測値とを逐次比較する処理を繰り返す。一方、ステップＳＡ５において、運転モードの切り替えがされた場合には、異常検知装置１１６に設定されている該基準値を消去して、図４のステップＳＡ２に戻り、基準値を改めて算出し設定した後、上述と同様に図４のステップＳＡ２以降の処理を繰り返す。
【００２１】
以上、説明してきたように、本実施形態に係る空気調和装置によれば、電流計測部１１４によって交流ファンモータ１１０、１１１に流れる電流を計測し、この計測値に基づいて交流ファンモータ１１０、１１１の異常を検知するための基準値を設定するので、空気調和装置の設置後において、その時の運転モードに応じた基準値の設定をすることが可能となる。これにより、複数ある交流ファンモータ１１０、１１１のいずれかに異常が発生した場合でも、その異常を確実に検知することが可能となる。
また、本実施形態によれば、電流計測部１１４が交流ファンモータ１１０、１１１から出力される電流が流れる配線上に設けられているので、各交流ファンモータ１１０、１１１につながる配線のそれぞれに電流計測部１１４を設ける必要がなく、１つの電流計測部１１４によって電流を計測することが可能となり、安価で簡便な構成を採用することが可能となる。
【００２２】
なお、図３の実施形態では、交流ファンモータを２個有する空気調和装置を例に挙げたが、交流ファンモータの数は限定されず、１個または３個以上設けられていてもよい。
【００２３】
なお、本実施形態では、基準値の設定は空気調和装置の運転開始後に行っていたが、必ずしも毎回の運転開始後に行う必要はない。例えば、空気調和装置の現場設置後に、基準値を設定し、この基準値を記憶しておき、その後の運転においては、記憶しておいた基準値を用いて異常を検知することとしてもよい。
【００２４】
以上、本発明の一実施形態について図面を参照して詳述してきたが、具体的な構成はこの実施形態に限られるものではなく、本発明の要旨を逸脱しない範囲の設計変更等も含まれる。
【図面の簡単な説明】
【００２５】
【図１】本発明の実施形態に係る空気調和装置の一例を示した平面図である。
【図２】本発明の実施形態に係る空気調和装置の一例を示した断面図である。
【図３】本発明の実施形態に係る交流ファンモータから電流を計測する一例を示した回路図である。
【図４】本発明の実施形態に係る点検検知シーケンス処理の動作フローを示した図である。
【図５】交流ファンモータの回転数と電流値の関係を示した図である。
【符号の説明】
【００２６】
１１２  第１スイッチ
１１３  第２スイッチ
１１４  電流計測部
１１５  制御装置
１１６  異常検知装置
【図１】
2009293908.tif 000003
【図２】
2009293908.tif 000004
【図３】
2009293908.tif 000005
【図４】
2009293908.tif 000006
【図５】
2009293908.tif 000007